(57)【特許請求の範囲】
【請求項１】
床スラブの下端まで地中梁のコンクリートを打設し、その後、床スラブと同時に地中梁の上端までコンクリートを水平に打ち継ぐ地中梁の構築方法であって、地中梁の側型枠間の上部で且つ梁内法スパン長を略３等分する位置に一対の垂直な仕切り板をセットし、この状態で、側型枠間の空間に地中梁用コンクリートを所定レベルまで打設して、梁中央部に梁幅方向全長にわたって位置する水平打ち継ぎ用コッターを形成し、しかる後、コンクリートの水平打ち継ぎを行うことを特徴とする地中梁の構築方法。
【請求項２】
側型枠間の空間に地中梁用コンクリートを、仕切り板間においては仕切り板の上端レベルまで、仕切り板から梁両端側においては仕切り板の下端レベルまで打設して、梁中央部に凸型の水平打ち継ぎ用コッターを形成することを特徴とする請求項１に記載の地中梁の構築方法。
【請求項３】
側型枠間の空間に地中梁用コンクリートを、仕切り板間においては仕切り板の下端レベルまで、仕切り板から梁両端側においては仕切り板の上端レベルまで打設して、梁中央部に凹型の水平打ち継ぎ用コッターを形成することを特徴とする請求項１に記載の地中梁の構築方法。
【発明の詳細な説明】
【技術分野】
【０００１】
本発明は、床スラブの下端まで地中梁のコンクリートを打設し、その後、床スラブと同時に地中梁の上端までコンクリートを水平に打ち継ぐ地中梁の構築方法に関する。
【背景技術】
【０００２】
コンクリートの現場打ちによる地中梁の構築は、現場での施工の都合上、先ず、床スラブの下端まで地中梁のコンクリートを打設し、その後、床スラブと同時に地中梁の上端までコンクリートを水平に打ち継ぐといった方法によって行われることが多い。
【０００３】
コンクリートの打ち継ぎ面に要求される構造的性能は「せん断力の伝達」なので、打ち継ぎに先立つ打ち継ぎ面の目粗し、清掃などをきっちり行う必要がある。しかし、このような配慮がなされても、先行して打設されたコンクリートとその上に時期をずらして打ち継がれたコンクリートとが構造的に完全に一体化するか否かについては少なからず問題がある。
【０００４】
そのため、例えば、一般階のプレキャストコンクリート梁に、床スラブのコンクリートを打ち継ぐ場合には、現場で打ち継がれるコンクリートとの一体性を確保する手段として、特許文献１に記載されている通り、予め、プレキャストコンクリート梁の製造時点で、プレキャストコンクリート梁の上端面に細かな凹凸形状の水平打ち継ぎ用コッターを成型したり、あるいは、鋼製の「だぼ」を突設しておいたり、特許文献２に記載されている通り、プレキャストコンクリート梁の中央部上面に、スパイラル状の鉄筋から成るシヤーコネクタを突設しておく技術が提案され、一部実用化されている。
【０００５】
しかし、これらの公知技術は、何れもプレキャストコンクリート梁の製造時点で採用される技術であって、コンクリートの現場打ちによる地中梁の構築には適用が困難である。例えば、地中梁の上面に、鋼製の「だぼ」やスパイラル状の鉄筋から成るシヤーコネクタを突設しようとしても、地中梁の側型枠内には、多数本の主筋とそれらを小間隔で取り囲む多数の肋筋が配筋され、これらの鉄筋類が、鋼製の「だぼ」やスパイラル状の鉄筋をセットする際の障害物となり、現場での効率良い施工は期待できない。
【先行技術文献】
【特許文献】
【０００６】
【特許文献１】特開平６−１０４０４号公報
【特許文献２】特許第２７９１２３９号公報
【発明の概要】
【発明が解決しようとする課題】
【０００７】
本発明は、上述した問題点を踏まえてなされたものであって、その目的とするところは、コンクリートの現場打ちにより構築される地中梁であるにもかかわらず、水平打ち継ぎ面におけるせん断力の伝達が確実で、先行して打設された地中梁コンクリートと打ち継がれるコンクリートとの一体性を向上させ、打ち継ぎ用補強筋を減らすことで、施工性の良い地中梁の構築方法を提供することにある。
【課題を解決するための手段】
【０００８】
上記目的を達成するために、本発明が講じた技術手段は、次の通りである。即ち、請求項１に係る発明による地中梁の構築方法は、床スラブの下端まで地中梁のコンクリートを打設し、その後、床スラブと同時に地中梁の上端までコンクリートを水平に打ち継ぐ地中
梁の構築方法であって、地中梁の側型枠間の上部で且つ梁内法スパン長を略３等分する位置に一対の垂直な仕切り板をセットし、この状態で、側型枠間の空間に地中梁用コンクリートを所定レベルまで打設して、梁中央部に梁幅方向全長にわたって位置する水平打ち継ぎ用コッターを形成し、しかる後、コンクリートの水平打ち継ぎを行うことを特徴としている。
【０００９】
請求項２に係る発明は、請求項１に記載の地中梁の構築方法であって、側型枠間の空間に地中梁用コンクリートを、仕切り板間においては仕切り板の上端レベルまで、仕切り板から梁両端側においては仕切り板の下端レベルまで打設して、梁中央部に凸型の水平打ち継ぎ用コッターを形成することを特徴としている。
【００１０】
請求項３に係る発明は、請求項１に記載の地中梁の構築方法であって、側型枠間の空間に地中梁用コンクリートを、仕切り板間においては仕切り板の下端レベルまで、仕切り板から梁両端側においては仕切り板の上端レベルまで打設して、梁中央部に凹型の水平打ち継ぎ用コッターを形成することを特徴としている。
【発明の効果】
【００１１】
上記の構成によれば、地中梁コンクリートと打ち継がれるコンクリートとの一体性を確保できる地中梁を容易に施工できる効果がある。
【００１２】
即ち、床スラブの下端まで地中梁のコンクリートを打設する際、地中梁の上端主筋を配筋する前に、肋筋の隙間に垂直な仕切り板を差し込んで側型枠内にセットすることができるので、仕切り板を堰板として側型枠内に所定レベルまでコンクリートを現場打ちすることによって、梁幅方向全長にわたって位置する水平打ち継ぎ用コッターを容易に形成することができる。
【００１３】
殊に、一対の垂直な仕切り板は、梁内法スパン長を略３等分する位置にセットされるので、地中梁の上部に、梁内法スパン長を略３等分する長さの水平打ち継ぎ用コッターが形成されることになり、コンクリートの打ち継ぎ面におけるせん断力の伝達が確実であり、先行して打設された地中梁コンクリートと打ち継がれるコンクリートとの一体性を確保できる。
【００１４】
請求項２に記載の発明によれば、梁幅方向全長にわたって位置する凸型の水平打ち継ぎ用コッターを容易に成型でき、請求項３に記載の発明によれば、梁幅方向全長にわたって位置する凹型の水平打ち継ぎ用コッターを容易に成型できる。
【図面の簡単な説明】
【００１５】
【図１】本発明に係る地中梁の構築方法を例示する斜視図である。
【図２】床スラブの下端までコンクリートを打設した地中梁の側面図である。
【図３】水平打ち継ぎ用コッターを説明する要部の概略斜視図である。
【図４】本発明の他の実施形態を示す水平打ち継ぎ用コッターを説明する要部の概略斜視図である。
【図５】図４で示した水平打ち継ぎ用コッターを有する地中梁の側面図である。
【発明を実施するための形態】
【００１６】
図１〜図３は、本発明に係るに係る地中梁の構築方法を示す。図において、１は杭頭のフーチング、２は床スラブの下端までコンクリートを先行して打設した地中梁、２ａは人通孔、３は地中梁２の上方へ突出した肋筋、４は柱主筋を示す。５ａは、地中梁２の中央部の上部に形成された梁幅方向全長にわたって位置する凸型の水平打ち継ぎ用コッターである。尚、地中梁主筋は図を簡略化する為、図示していない。水平打ち継ぎ用コッター５
ａは、梁内法スパン長Ｌを略３等分する位置に形成されており、水平打ち継ぎ用コッター５ａの長さは、梁内法スパン長Ｌを略３等分する長さ１／３Ｌに設定され、水平打ち継ぎ用コッター５ａの高さは、数百ｍｍ程度（具体的には、２００〜３００ｍｍ程度）に設定されている。
【００１７】
上記の水平打ち継ぎ用コッター５ａは、地中梁の側型枠６間の上部で且つ梁内法スパン長Ｌを略３等分する位置に、高さが２００〜３００ｍｍ程度の一対の垂直な仕切り板７をセットし、この状態で、側型枠６間の空間に地中梁用コンクリート８を仕切り板７間においては仕切り板7の上端レベルまで、仕切り板７から梁両端側においては仕切り板7の下端レベルまで打設することによって形成される。仕切り板７は、図３に示すように、肋筋３の隙間から、側型枠６間に差し込み、アングル状の止め金具（図示せず）と釘、ビス、粘着テープ等々、適宜の固定手段により側型枠６に固定することができる。
【００１８】
しかる後、コンクリートの水平打ち継ぎを行うことによって、水平打ち継ぎ面におけるせん断力の伝達が確実で、先行して打設された地中梁コンクリート８と打ち継がれるコンクリートとの一体性を確保できる地中梁が構築されることになる。
【００１９】
図４、図５は、本発明の他の実施形態を示す。この実施形態は、側型枠６間の空間に地中梁用コンクリート８を、仕切り板７間においては仕切り板7の下端レベルまで、仕切り
板７から梁両端側においては仕切り板7の上端レベルまで打設して、梁中央部に凹型の水
平打ち継ぎ用コッター５ｂを形成する点に特徴がある。水平打ち継ぎ用コッター５ｂの長さ、深さ、位置等の構成や作用は、図１〜図３の実施形態と同じであるため、説明を省略する。
【００２０】
上記の構成によれば、地中梁コンクリート８と打ち継がれるコンクリートとの一体性を確保できる地中梁を容易に施工できる。
【００２１】
即ち、床スラブの下端まで地中梁のコンクリートを打設する際、肋筋３の隙間に垂直な仕切り板７を差し込んで側型枠６内にセットすることができるので、仕切り板７を堰板として側型枠６内に所定レベルまでコンクリートを現場打ちすることによって、梁幅方向全長にわたって位置する凸型又は凹型の水平打ち継ぎ用コッター５ａ又は５ｂを容易に形成することができる。
【００２２】
殊に、一対の垂直な仕切り板7は、梁内法スパン長Ｌを略３等分する位置にセットされ
るので、地中梁の上部に、梁内法スパン長Ｌを略３等分する長さ１／３Ｌの水平打ち継ぎ用コッター５ａ又は５ｂが形成されることになり、コンクリートの打ち継ぎ面におけるせん断力の伝達が確実であり、先行して打設された地中梁コンクリート８と打ち継がれるコンクリートとの一体性を確保できる。尚、地中梁の上表面は、コンクリート打設後、コンクリート強度１０Ｎ／ｍｍ2以上を確認した時点で、ウォータジェット（水圧５０ＭＰａ
程度）により、洗い流すのが良い。
【産業上の利用可能性】
【００２３】
本発明の地中梁の構築方法は、一般階の梁の構築にも利用可能である。
【符号の説明】
【００２４】
１  フーチング
Ｌ  梁内法スパン長
２  地中梁
２ａ  人通孔
３  肋筋
４  柱主筋
５ａ、５ｂ  水平打ち継ぎ用コッター
６  側型枠
７  仕切り板
８  地中梁コンクリート
【図１】
0005548637.tif 000002
【図２】
0005548637.tif 000003
【図３】
0005548637.tif 000004
【図４】
0005548637.tif 000005
【図５】
0005548637.tif 000006